(57)【特許請求の範囲】
【請求項１】
歯口部を突合せた状態で少なくとも前後一対のニードルベッドを配置し、ニードルベッド上を往復摺動するキャリッジのカム群でニードルベッドに収納された編針の選択された編針を進退摺動させることにより、筒状編地を編成するようにした横編機における筒状編地の編成方法であって、キャリッジが反転後、続いてコースを編成する際に、反転する直前に一方のニードルベッドで編成された編地の少なくとも最後に形成されたループを掛止している編針を、キャリッジのカム群の度山カムで進出を防止した状態にし、これに対面する他方のニードルベッドの編針に編糸を供給してループを形成するようにしたことを特徴とする横編機における筒状編地の編成方法。
【請求項２】
反転する直前に一方のニードルベッドの編針で編成された編地の少なくとも最後のループを掛止している編針を、これに対面する他方のニードルベッドの編針に給糸して編成する間は度山カムで引き込むようにしたことを特徴とする請求項１に記載の横編機における筒状編地の編成方法。
【請求項３】
編地の少なくとも最後に形成されたループを掛止している編針を、キャリッジのカム群の後行の度山カムで進出を防止した状態にし、これに対面する他方のニードルベッドの編針に編糸を供給してループを形成するより前に先行した位置にある引下げカムにより引き込むようにしたことを特徴とする請求項１又は請求項２に記載の横編機における筒状編地の編成方法。
【請求項４】
引下げカムがニードルレイジングカム内に形成されていることを特徴とする請求項３に記載の横編機における筒状編地の編成方法。
【請求項５】
引下げカムが先行の度山カムである請求項３に記載の筒状編地の編成方法。
【請求項６】
編針を昇降摺動可能に収納したニードルベッドを、その歯口部を突合せた状態で少なくとも前後一対配置し、ニードルベッド上を往復摺動するキャリッジのカム群でニードルベッドの編針の内、選択された編針を進退摺動させることにより、周回状に給糸された編糸で筒状編地を編成するように構成された横編機であって、キャリッジの反転後、続いてコースを編成する際に、反転する直前に一方のニードルベッドで編成された編地の少なくとも最後に形成されたループを掛止している編針を引き下げる引下げカムをニードルレイジングカム内に形成したことを特徴とする横編機。
【発明の詳細な説明】
【技術分野】
【０００１】
本発明は横編機における筒状編地の編成方法及び横編機に関するものである。
【背景技術】
【０００２】
靴下や手袋、セータ等の筒状編地を編成する場合、円筒形に形成されたシリンダの周面に編針を昇降自在に配設した丸編み機を用い、このシリンダ周面の編針をキャリッジで昇降制御しながら給糸して筒状の編地を編成するのが一般的に行われている。【０００３】
ところが、上記丸編み機による筒状編地を編成する場合、筒状編地のウエール数及び周長は編針の数乃至はシリンダの径によって決まる事から、筒状編地のウエール数及び周長の異なるものを編成しようとすると、それに合わせた種々のシリンダを備えた丸編み機を設ける必要があると言う問題があった。
また、周長の長い筒状の編地を形成しようとする場合、丸編み機のシリンダの径が大きくなり、丸編み機全体が大型化してしまうと言う問題もある。【０００４】
こうした問題を解消するために本出願人が先に提案しているように、多数の編針を並設したニードルベッドを編針の歯口を突き合わせた状態で前後一対に配設した横編機で径の異なる筒状編地を編成可能にしたものがある。
この横編機での筒状編地の編成は、ニードルベッド上を往復するキャリッジの往行時に当該ニードルベッドの編針に給糸して一側面の編地を編成するとともに、キャリッジが復行する時に、図５に示すように前記一側面の編地を編成した編糸が連続する状態で他方のニードルベッドの編針に給糸して他側面の編地を編成する編成コースを交互に繰り返すことにより、両端部が結合された筒状の編地を編成するようにしたものである。
こうした場合、図５に示すように一方のニードルベッドから他方のニードルベッドに移るとき、給糸された編糸のテンション方向が移動するために、一方のニードルベッドの編地端の編針が引き出されやすく、編針が引き出されてしまうと、当該部分のループが小さくなってしまう。
この小さなループが製品に現れてしまうことから、筒状編地製品の品質が低下すると言う問題があった。【０００５】
そこで、こうした問題に対処するために、本発明の出願人は、前後一対に配設されたニードルベッドを有する横編機でキャリッジの往復により各ニードルベッドの編針に編地をその両端部が結合した状態で筒状に編成してなる横編機における筒状編地の編成時において、キャリッジの往行時、編地を編成するために編成用制御カムで編針が進出する時は編地の両端及び／または両端寄り部の編針に設けた編針進出防止手段を開放して編針を進出可能にし、キャリッジの復行時には編針進出防止手段を作用させて編地の両端及び／または両端寄り部の編針を退入のみ可能な状態にして筒状編地を編成するようにしたものを先に提案している。（特許文献１）
【特許文献１】特開平５−８６５６１号公報
【発明の開示】
【発明が解決しようとする課題】
【０００６】
先の提案にかかる上記方法によれば、編地編成機構のほかに編地の両端部側部分の編み針の進出を防止するために編針の後端部分に編針進出防止手段を、キャリッジには編針進出防止手段を制御するために開放手段を含む大きな制御機構を設けなくてはならず、これら編針進出防止手段および制御機構で構造が複雑になりコストが嵩むという問題があった。【０００７】
また、編地の編み幅を変更するときにはこの編針進出防止手段も移動しなくてはならず
、その設定や調整等の操作に手間が掛かってしまうという問題もあった。
本発明は上記問題点に鑑み提案されたもので、ループ長の揃った品質の高い製品を安価に実施することができる横編機ならびに筒状編地の編成方法を提供することを目的とするものである。
【課題を解決するための手段】
【０００８】
上記目的を達成するために、本発明にかかる横編機における筒状編地の編成方法は、歯口部を突合せた状態で少なくとも前後一対のニードルベッドを配置し、ニードルベッド上を往復摺動するキャリッジのカム群でニードルベッドに収納された編針の選択された編針を進退摺動させることにより、筒状編地を編成するようにした横編機における筒状編地の編成方法であって、キャリッジが反転後、続いてコースを編成する際に、反転する直前に一方のニードルベッドで編成された編地の少なくとも最後に形成されたループを掛止している編針を、キャリッジのカム群の度山カムで進出を防止した状態にし、これに対面する他方のニードルベッドの編針に編糸を供給してループを形成するようにしたことを最も主要な特徴とするものである。【０００９】
本発明にかかる横編機における筒状編地の編成方法では、反転する直前に一方のニードルベッドの編針で編成された編地の少なくとも最後のループを掛止している編針を、これに対面する他方のニードルベッドの編針に給糸して編成する間は度山カムで引き込むようにしたことや、編地の少なくとも最後に形成されたループを掛止している編針を、キャリッジのカム群の後行の度山カムで進出を防止した状態にし、これに対面する他方のニードルベッドの編針に編糸を供給してループを形成するより前に先行した位置にある引下げカムにより引き込むようにしたことも特徴とするものである。
【００１０】
更に本発明にかかる横編機における筒状編地の編成方法では、引下げカムがニードルレイジングカム内に形成された操作カムであることや、引下げカムが先行の度山カムであることも特徴とするものである。【００１１】
本発明にかかる横編機は、編針を昇降摺動可能に収納したニードルベッドを、その歯口部を突合せた状態で少なくとも前後一対配置し、ニードルベッド上を往復摺動するキャリッジのカム群でニードルベッドの編針の内、選択された編針を進退摺動させることにより、周回状に給糸された編糸で筒状編地を編成するように構成された横編機であって、キャリッジの反転後、続いてコースを編成する際に、反転する直前に一方のニードルベッドで編成された編地の少なくとも最後に形成されたループを掛止している編針を引き下げる引下げカムをニードルレイジングカム内に形成したことを最も主要な特徴とするものである。
【発明の効果】
【００１２】
本発明によれば、キャリッジが反転する直前に形成された編地の少なくとも最後に形成されたループを掛止している編針を、これに対面する編針に給糸して編成する間は、キャリッジのカム群に形成された引下げカムで引き込むようにするので、前記最後に形成されたループを掛止している編針が引き出されることがない。これにより、従来のように当該編針に掛止しているループが小さくなることがなく、筒状編地は、ループ長の揃った品質の高い筒状編地にすることができる。【００１３】
また、本発明では編針の引下げカムをキャリッジのカム群に形成するようにしてあるので、本出願人が先に提案したもののように、編地の両端部側部分の編み針の進出を防止するために編針の後端部分に編針進出防止手段を、キャリッジには編針進出防止手段を制御するために開放手段を含む大きな制御機構を設けなくても済み、構造が複雑になることなく安価に実施することが出来る利点がある。【００１４】
更に、本発明では編針の引下げカムをキャリッジのカム群に形成するようにしてあるので、本出願人が先に提案したもののように、編地の編み幅を変更するときにはこの編針進出防止手段も移動にしなくてもすみ、その設定や調整等の操作に要する手間をなくして生産性を向上させることができる利点もある。【００１５】
加えて、編針の引下げカムをキャリッジの先行側の度山カムを利用して筒状編地を編成する方法では、既存の横編機で簡単に実施することができる。
また、キャリッジのニードルレイジングカム内に編針の引下げカムを形成する横編機では、そのキャリッジに大きな変更を施すことなく、本発明を簡単に実施することができる利点もある。
【発明を実施するための最良の形態】
【００１６】
以下、本発明にかかる横編機における筒状編地の編成方法及び横編機の好ましい実施形態を図面に基づいて説明する。
【実施例１】
【００１７】
図１は前後一対に配設されたニードルベッドを有する横編機の要部の側面図であって、図中符号１はこの構編機のニードルベッド部分を全体的に示す。
このニードルベッド部分１はフレーム２の上面に歯口部分を突き合わせ状で略ハの字形に配設されたニードルベッド３・３を設け、各ニードルベッド３・３の上面には多数の編針４・４・・・が昇降摺動可能に設けられている。
この編針４・４・・・は、後述の選針機構Ｓにより選択された編針４のみがキャリッジ５に内装されたカム群６(図２参照)によって昇降が制御されるようになっている。【００１８】
編針４は、先端部分にラッチ７を有するフック８を形成した編針本体９と、編針本体９の後端部に連結されるニードルジャック１０、ニードルジャック１０の後部上方にセレタジャック１１の各部を順に配設して形成されている。
ニードルジャック１０、セレクタジャック１１の各部の上面にはキャリッジ５のカム群６によりニードルベッド３・３の針溝１７内を昇降操作するためのバット１３、１４が突出されている。【００１９】
上記選針機構Ｓは、各編針４・４・・・のセレクタジャック１１の上面には編針の昇降方向に対して隣り合う編針で位相を異ならせたセレクタバット１５が設けられており、キャリッジ５内に設けられたアクチュエータ３３（図２参照）の起動により、作用されたセレクタバット１５の編針４のバット１４がキャリッジ５のカム群６でニードルベッド３・３の針溝１７内を昇降操作されるようになっている。【００２０】
尚、各編針４・４・・・のセレクタジャック１１の後部下面には凹嵌部１８・１９・２０が設けられており、この凹嵌部１８・１９・２０がニードルベッド３を貫通して設けたワイヤ２１に択一的に掛止することにより、例えばワイヤ２１が凹嵌部２０に掛合している時はウエルト位置、ワイヤ２１が凹嵌部１９に掛合している時はニット位置、ワイヤ２１が凹嵌部１８に掛合している時はタック位置に保持されるようになっている。【００２１】
一方、各ニードルベッド３上を摺動し、選択された編針４を昇降操作するキャリッジ５  のカム群６は、図２に示すようになっている。
この図２では、各ニードルベッド３上を摺動するキャリッジ５のカム群６を上から透視した状態にしてあり、符号Ｆは前側のキャリッジ５のカム群６を、符号Ｂは後側のキャリッジ５のカム群６をそれぞれ示す。【００２２】
キャリッジ５のカム群６は、ニードルレイジングカム２２の上方に天山カム２３を設け、天山カム２３の両側方に上下一対の固定ガイドカム２４を設けるとともに、天山カム２３と固定ガイドカム２４との間に度山カム２５が昇降操作可能に設けてある。
この度山カム２５の昇降操作は、図外の制御装置のプログラムに設定された昇降量の信号で駆動されるステッピングモータにより行なわれる。
この度山カム２５は、キャリッジ５の進行方向下手側を先行の度山カム２５ａとし、上手側を後行の度山カム２５ｂとし、編成時は主として後行側の度山カム２５ｂが作用する。【００２３】
キャリッジ５のカム群６の天山カム２３とニードルレイジングカム２２との間には図上前側（Ｆ）のキャリッジ５のカム群６に示すように、ループ形成のための編針軌道Ｌ１（ニットルート）が形成されるとともに、もう一つの編針軌道Ｌ２を形成する溝があり、これらのカム以外に６個の軌道切換カム２６、２７、２８、２９、３０、３１が設けられている。
上記軌道切換カム２６〜３１のそれぞれはキャリッジ５内に取付けられた図示しないソレノイドの作用によって出没し、その位置を変位させることにより、上記編針軌道Ｌ１またはＬ２を任意に選択することができる。【００２４】
従って、選針された編針４は、編針軌道Ｌ１またはＬ２のいずれかを通過することにより、ニードルベッド３の針溝１７を昇降操作されることになる。
また、詳細の図示は省略したが、ニードルレイジングカム２２の下方には、上記ウエルト位置、ニット位置、タック位置にあるセレクタバット１５に対応させてニードルプレッサ３２が設けられるとともに、その左右に配設された固定カム２４の下方部分に上記選針機構Ｓのアクチュエータ３３が設けてある。【００２５】
上記のように構成された横編機で本発明にかかる筒状編地の編成方法を次に説明するが、以下の筒状編地の編成方法ではその編成の周回方向を、図５に示すように反時計回り方向とし、図３はキャリッジ５が矢印Ａで示す右から左に摺動して後側ニードルベッド３の編針４に編糸をヤーンフィーダ３４から供給してループを形成する往行を示す。
往行は、前側ニードルベッド３で編成を終えたキャリッジ５が反転して右方から左方に摺動し、後側ニードルベッド３で編地が形成されることになる。
この往行時には、後側のキャリッジ５の軌道切換カム２６、２８が突出して通路をブロックするので、編地の編成領域内の編針として先行側の選針機構Ｓのアクチュエータ３３で選針された編針４は図中一点鎖線で示す編針軌道Ｌ１を通る。【００２６】
一方、前側のキャリッジ５の軌道切換カム２６、２９、３０が突出して通路をブロックし、先行側の選針機構Ｓのアクチュエータ３３で選針された、図５中右側のループＮを掛止している前側ニードルベッド３の編針４は、図３中、点線で示す編針軌道Ｌ２を通る。
したがって、後側ニードルベッド３の編針４が後側のキャリッジ５のカム群６のニードルレイジングカム２２でニット位置に上昇する間に、編針軌道Ｌ２を通る前側のニードルベッド３の編み針４が天山カム２３の下方近傍にまで押し上げられる。【００２７】
続いて、選針された後側ニードルベッド３の編針４が天山カム２３の下端水平部分中間位置に下降すると、ヤーンフィーダ３４から編糸が供給されるのであるが、このとき、軌道切換カム２９で案内される編針軌道L２を通る前側ニードルベッド３の編針４はすでに下降しており、ヤーンフィーダ３４から供給された編糸が前側ニードルベッド３の編針４にくわえられることがない。
後側ニードルベッド３の編針４が後行側の度山カム２５ｂでさらに引き込まれると、前コースで形成された旧ループがフック８部分をノックオーバーして新たなループが形成される。【００２８】
こうした往行での編地の編成時、キャリッジ５が反転して編地の編成が前側ニードルベッド３から後側ニードルベッド３に移るときは、キャリッジ５が反転する直前に前側ニードルベッド３で編成された編地の最後に形成されたループ（図５中右側のＮ）を掛止している編針４を、これに対面する後側ニードルベッド３の編針４に給糸されてループが形成されるまでは、前側キャリッジ５の後行側の度山カム２５ｂの下端部分で引き下げるので、前側のニードルベッド３の編針４が引き出されることがない。
したがって、ループ（図５中右側のＮ）の目が詰まるのが抑制される。
斯くして後側ニードルベッド３での編成が終了し、その編成領域外（図上左方）に出ると、キャリッジ５が反転して左方から右方に摺動し、前側のニードルベッドで編地を編成する図４に示す復行となる。【００２９】
図４の復行時には、前側のキャリッジ５の軌道切換カム２７、２９が突出して通路をブロックし、先行側の選針機構Ｓのアクチュエータ３３で選針された編成領域の編針４は図中一点鎖線で示す編針軌道Ｌ１を通り、後側のキャリッジ５の軌道切換カム２７、２８、３１が突出して通路をブロックするので、先行側の選針機構Ｓのアクチュエータ３３で選針された後側ニードルベッド３の、図５中左側のループＮを掛止している編針４は図中点線で示す編針軌道Ｌ２を通るようになる。
キャリッジ５の反転後、前側のニードルベッド３で編地を編成する際に、反転する直前に後側ニードルベッド３で編成された編地の最後に形成された端のループ（図５における左側のＮ）を掛止している編針４に対面する前側ニードルベッド３の編針４が、前側のキャリッジ５の先行側の選針機構Ｓのアクチュエータ３３で選針され、前側のキャリッジ５のカム群６のニードルレイジングカム２２でニット位置に上昇する間に、後側ニードルベッド３の編針軌道Ｌ２を通る編み針４が天山カム２３の下方近傍にまで押し上げられる。【００３０】
続いて、前側ニードルベッド３の編針４が天山カム２３の下端水平部分中間位置に下降してヤーンフィーダ３４から編糸が供給されるのであるが、このとき、軌道切換カム２８で案内される後側ニードルベッド３の編針４はすでに下降しており、供給された編糸が後側ニードルベッド３の編針４にくわえられることがないのは往行時と同様である。
前側ニードルベッド３の編針４が後行側の度山カム２５ｂでさらに引き込まれると、前コースで形成された旧ループがノックオーバーして新たなループが形成される。
この前側ニードルベッド３の編針４が後行側の度山カム２５ｂで引き込まれるとき、これに対向する後側ニードルベッド３の編針４（後側ニードルベッド３で編成された編地の最後に形成されたコースの端の編針）が後行側の度山カム２５ｂで引き込まれる。【００３１】
これにより、後側のニードルベッド３の編針４が引き出されることがないため、ループ（図５中左側のＮ）の目が詰まるのが抑制される。
そして、前側ニードルベッド３での編成が終了し、その編成領域外（図上右方）に出ると、キャリッジ５が再び反転して右方から左方に摺動して前側のニードルベッド３で編地を編成する前述の往行となる。
以後、上記往行と復行の編成が交互に連続して行なわれる。
こうした動作が編地の両端で繰り返して行なわれることにより、前後のニードルベッド３の編針４に周回状に編糸を供給して横編機で筒状編地を編成したときでも、キャリッジ５が反転する部分のループ４が詰まって小さくなるのが抑制される。【００３２】
尚、上記実施例では、選針機構Ｓとニードルレイジングカム２２内に設けた軌道切換カム２６〜３１を操作することにより、キャリッジが反転する直前に形成された少なくとも一つの終端のループを掛止した編針を編針軌道Ｌ２に案内し、上記編針に対面するニードルベッド３の編針４がループを形成する間は、度山カム２５ｂで編針４が引き出されるのを防止するようにしてある。
しかし、こうしたものに限られず、例えば選針機構Ｓとニードルプレッサ３２との協働により選針された端のループを形成する編針のバットが後行側の度山カム２５ｂに到達するまでの間をニードルプレッサにより押圧させてニードルレイジングカムの作用を受けずに通過させ、その後ニードルプレッサの押圧から解放させて後行の度山カム２５ｂで引き込むことができるようにニードルプレッサを設計することもできる。
この場合は上記編針軌道Ｌ２と異なる軌道を通る事になるが編針が引き上げられるのを同様に防ぐことができる。【００３３】
また、本発明の反転する直前に編成された編地の端のループを掛止している編針４の引き込み量は、引き出されるのを防止できる程度であればよく、必ずしも引き込むものに限られない。
更に、上記実施例では、キャリッジ５が反転する直前に編成された編地のループを掛止している編針４を、これに対面する編針４に給糸して編成する間は、この編地の端の編針４に対面する１本の編針４を度山カム２５ｂで引き込むようにしてあるが、こうしたものに限られず、側端の編針数本を引き込むようにすることもできる。
【実施例２】
【００３４】
本実施例は主として、筒状編地の一方の編地のコース編成を行なった後、キャリッジを反転させて他方の編地のコース編成を行なう際に、他方の編地でのループの形成よりも先行させて、反転する直前に編成されたループを掛止する編針を再度引き下げる操作カムをカム群のニードルレイジングカム内に設けた編機の例を示す。
この横編機は、詳細の図示は省略したが、スライダが昇降摺動することによりフック部分を開閉するようにした複合編針である点と、後述する図６に示すキャリッジのカム群を除くその他の構成は上記実施例１と略同様に構成されている。
キャリッジ５のカム群６は、図６に示すように、ニードルレイジングカム２２の上方に天山カム２３を設け、天山カム２３の両側方（キャリッジの進行方向に対して前後方向）に上下一対の固定ガイドカム２４を設けるとともに、天山カム２３と固定ガイドカム２４との間に度山カム２５が昇降操作可能に設けてある。【００３５】
この度山カム２５の昇降操作は、図外の制御装置のプログラムに設定された昇降量の信号で駆動されるステッピングモータにより行なわれる。
この度山カム２５は、キャリッジ５の進行方向下手側を先行の度山カム２５ａとし、上手側を後行の度山カム２５ｂとし、編成時は主として後行側の度山カム２５ｂが度目設定用として作用する。【００３６】
キャリッジ５のカム群６の天山カム２３とニードルレイジングカム２２との間には例えば図６の下に示す前側（Ｆ）のキャリッジ５のカム群６に示すように、ループ形成のための編針軌道Ｌ１（ニットルート）が形成されるとともに、ニードルレイジングカム２２内にもう一つの編針軌道Ｌ２（コントロールルート）が形成されている。
ニットルートの編針軌道Ｌ１は、台形に形成されたニードルレイジングカム２２の上面部分で天山カム２３の頂部の中心線を対称とする前後位置に三角形をした出没カム３５・３５を設けて形成してあり、これら出没カム３５・３５は図外の制御装置のプログラムからの信号により、編地の編成時に先行側の出没カムが突出するようになっている。【００３７】
一方、ニードルレイジングカム２２内に形成される編針軌道Ｌ２は、台形に形成されたニードルレイジングカム２２の中間高さ位置に前後に貫通した通路３６を形成し、当該通路３６の中側部分３６ａを上部に広げた状態にするとともに、その広げられた中側部分３６ａに引下げカムとして下向き台形の操作カム３７をニードルレイジングカム２２と一体に形成してある。
そして、編針軌道Ｌ２のニードルレイジングカム２２内の高さは図７に示すようになっている。【００３８】
即ち、図７（ａ）は図６におけるＸ−Ｘ線断面図、図７（ｂ）は図６におけるＹ−Ｙ線断面であって、ニードルレイジングカム２２と度山カム２５並びに突出した出没カム３５の突出時の高さは等しい高さにしてあり、上記通路３６の中側部分３６ａは地板３８部分と等しい高さゼロ（略面一）にし、通路３６の前後出入口部分３６ｂはニードルレイジングカム２２と地板３８との中間の高さ（ハーフ高さ）にしてある。
そして、アクチュエータ３３で選針された編成領域の編針４は、そのセレクタバット１５がニードルプレッサ３２の作用を受けることによりループ形成のための編針軌道Ｌ１を通過するか、コントロールルートの編針軌道Ｌ２を通過するかが決定される。【００３９】
ニードルプレッサ３２は、前後の度山カム２５ａ・２５ｂの動作範囲をカバーするように長く形成されたウエルトプレッサ３９と、その上方に前記通路３６の前後出入口部分３６ｂに対応する部分に出退可能に形成されたハーフ高さのハーフプレッサ４０とを備え、ハーフプレッサ４０をＡポジションとし、ウエルトプレッサ３９をＢポジションとしたときにその中間部分に図６に点線４１で示すハーフ（Ｈ）ポジションが形成されている。【００４０】
上記Ａポジションのハーフプレッサ４０が地板３８と略等しい高さ（高さゼロ）に沈んでいるとき及び編針４のセレクタバット１５が点線４１で示すハーフポジションにあるとき、即ち、アクチュエータ３３で選針された編針４がニードルプレッサ３２の作用を受けないとき、編針４はニットルートであるの編針軌道Ｌ１を通り、編針４がＡポジションのハーフプレッサ４０の作用を受けるときにはコントロールルートである編針軌道Ｌ２を通る。
因みに、Ｂポジションのウエルトプレッサ３９が編針４のセレクタバット１５に作用する時には、その編針４はキャリッジ５のカム群６の作用を受けることなく通過する。【００４１】
上記のように構成された横編機で本発明にかかる筒状編地の編成方法を次に説明する。  以下の筒状編地の編成方法では実施例１と同様、編成の周回方向を図５に示すように反時計回り方向とし、図８はキャリッジ５が矢印Ａで示す右から左に摺動して後側ニードルベッド３の編針４に編糸をヤーンフィーダ３４から供給してループを形成する往行を示す。
往行は、前側ニードルベッド３で編成を終えたキャリッジ５が反転して右方から左方に摺動し、後側ニードルベッド３で編地が形成される。
この往行時には、後側（Ｂ）のキャリッジ５の先行側の出没カム３５が突出しており、先行側の選針機構Ｓのアクチュエータ３３で選針された後側ニードルベッド３の編針４のセレクタバット１５はニードルプレッサ３２の作用を受けず、当該編針４のバット１３は、ニードルレイジングカム２２と出没カム３５との作用を受けて図８中に一点鎖線で示すニットルートである編針軌道Ｌ１を通る。【００４２】
一方、図５中右側のループＮを掛止している前側ニードルベッド３の編針４は、前側のキャリッジ５の先行側の選針機構Ｓで選針され、その編針４のバット１３がハーフプレッサ４０の作用を受けてハーフ位置（中間高さ位置）に押込まれる。
するとその編針４のバット１３は、図８の前側（Ｆ）のキャリッジ５のカム群６のニードルレイジングカム２２内に形成された通路３６中に点線で示すコントロールルートの編針軌道Ｌ２を通過する。
ここで、後側ニードルベッド３の編針４が、後側（Ｂ）のキャリッジ５のカム群６のニードルレイジングカム２２及び出没カム３５でニット位置に上昇する間に、前側（Ｆ）のキャリッジ５のカム群６内の編針軌道Ｌ２を通る前側のニードルベッド３の編み針４は編針の引下げカムを構成する操作カム３７部分で引下げられる。【００４３】
続いて、後側ニードルベッド３の選針された編針４が下降して天山カム２３の下端の水平部分の中間位置になると、ヤーンフィーダ３４から編糸が供給される。
このとき、前側（Ｆ）のキャリッジ５の通路３６で案内される編針軌道L２を通る前側ニードルベッド３の編針４が引下げカムである操作カム３７で下降した状態になっており、後側ニードルベッド３の編針４が後行側の度山カム２５ｂでさらに引き込まれると、前コースで形成された旧ループがフック部分をノックオーバーされて新たなループが形成される。【００４４】
こうした往行での編地の編成時、キャリッジ５が編地の編成が前側ニードルベッド３から後側ニードルベッド３に反転するときは、キャリッジ５が反転する直前に前側ニードルベッド３で編成された編地の最後に形成されたループ（図５中右側のＮ）を掛止している編針４が、これに対面する後側ニードルベッド３の編針４に給糸され編成されるまえに、前側（Ｆ）のキャリッジ５の操作カム３７で引き下げられているので、キャリッジ５の反転にともなって、ヤーンフィーダ３４の給糸方向が反転する際に、編糸のテンションが高
まり、その結果、反転直前に形成されたループから編糸が引き出されてループが詰んでもこれを修正して編地のループ長を揃えることができる。【００４５】
そして、後側ニードルベッド３の編針４に給糸され編成する間、前側（Ｆ）のキャリッジ５の後行側の度山カム２５ｂで引き下げられているので、後側ニードルベッド３の編針４が度山カム２５ｂで引き込まれるとき、前側のニードルベッド３の前記編針４が引き出されることがない。
したがって、ループ（図５中右側のＮ）の目が詰まることがなくなる。
斯くして後側ニードルベッド３での編成が終了し、その編成領域外（図上左方）に出ると、キャリッジ５が反転して図９に矢印Ｂで示す左方から右方に摺動し、前側のニードルベッド３で編地を編成する復行となる。【００４６】
図９の復行時には、前側（Ｆ）のキャリッジ５の先行側の出没カム３５が突出しており、先行側の選針機構Ｓのアクチュエータ３３で選針された編針４のセレクタバット１５はニードルプレッサ３２の作用を受けず、当該編針４のバット１３は、ニードルレイジングカム２２と出没カム３５との作用を受けて図９の前側（Ｆ）のキャリッジ５のカム群６に一点鎖線で示すニットルートである編針軌道Ｌ１を通る。
一方、図５中左側のループＮを掛止している後側ニードルベッド３の編針４は、後側のキャリッジ５の先行側の選針機構Ｓのアクチュエータ３３で選針され、その編針４のバット１３がハーフプレッサ４０の作用を受けてハーフ位置に押込まれる。
するとその編針４のバット１３は、図９の後側（Ｂ）のキャリッジ５のカム群６内に点線で示すようにニードルレイジングカム２２内に形成された通路３６に形成されたコントロールルートの編針軌道Ｌ２を通過する。
ここで、前側ニードルベッド３の編針４が、前側のキャリッジ５のカム群６のニットルートである編針軌道Ｌ１のニードルレイジングカム２２及び出没カム３５でニット位置に上昇する間に、編針軌道Ｌ２を通る後側のニードルベッド３の編み針４は編針の引下げカムを構成する操作カム３７部分で引下げられる。【００４７】
続いて、前側ニードルベッド３の選針された編針４が出没カム３５の頂部から下降して天山カム２３の下端の水平部分の中間位置になると、ヤーンフィーダ３４から編糸が供給される。
このとき、後側（Ｂ）キャリッジ５の通路３６で案内される編針軌道L２を通る後側ニードルベッド３の編針４は引下げカムである操作カム３７で下降した状態になっており、前側ニードルベッド３の編針４が後行側の度山カム２５ｂでさらに引き込まれると、前コースで形成された旧ループがフック部分をノックオーバーされて新たなループが形成される。【００４８】
こうした複行での編地の編成時、キャリッジ５が反転して編地の編成が後側ニードルベッド３から前側ニードルベッド３に移るときは、キャリッジ５が反転する直前に後側ニードルベッド３で編成された編地の最後に形成されたループ（図５左側のＮ）を掛止している編針４が、これに対面する前側ニードルベッド３の編針４に給糸され編成されるまえに、後側（Ｂ）のキャリッジ５の操作カム３７で引き下げられているので、キャリッジ５の反転にともなって、ヤーンフィーダ３４の給糸方向が反転する際に、編糸のテンションが
高まり、その結果、反転直前に形成されたループから編糸が引き出されてループが詰んでもこれを修正して編地のループ長を揃えることができる。【００４９】
そして、前側ニードルベッド３の編針４に給糸され編成する間、後側（Ｂ）のキャリッジ５の後行側の度山カム２５ｂで引き下げられているので、前側ニードルベッド３の編針４が度山カム２５ｂで引き込まれるとき、後側のニードルベッド３の前記編針４が引き出されることがない。
したがって、キャリッジ５の反転にともなうヤーンフィーダ４の給糸方向の反転時、ループ（図５中左側のＮ）の目が詰まることがなくなる。
斯くして、前側ニードルベッド３での編成が終了し、その編成領域外（図上右方）に出ると、キャリッジ５が再び反転して右方から左方に摺動して前側のニードルベッド３で編地を編成する前述の往行となる。
以後、上記往行と復行の編成が交互に連続して行なわれる。【００５０】
こうした動作が編地の両端で繰り返して行なわれることにより、前後のニードルベッド３の編針４に周回状に編糸を供給して横編機で筒状編地を編成するとき、キャリッジ５の反転にともなって、ヤーンフィーダ３４の給糸方向が反転する際に、編糸のテンションが高まり、その結果、反転直前に形成されたループから編糸が引き出されてループが詰んでもこれを修正して編地のループ長を揃えることができる。【００５１】
尚、本例では、キャリッジ５が反転する直前に編成された編地のループを掛止している編針４を、これに対面する編針４に給糸して編成する間は、この編地の端の編針４に対面する編針４を編針の操作カム（引下げカム）３７で引き込むようにしてあるが、こうしたものに限られず、例えば、キャリッジが反転する直前に一方のニードルベッドで編成された編地の最後に形成されたループ（図５中右側のＮ）を掛止している編針を、これに対面する他方のニードルベッドの編針に給糸され編成する前に、一方のニードルベッドのキャ
リッジの先行側の度山カムで引き下げておくことにより、キャリッジ５の反転にともなって、ヤーンフィーダ３４の給糸方向が反転する際に、編糸のテンションが高まり、その結果、反転直前に形成されたループから編糸が引き出されてループが詰んでもこれを修正して編地のループ長を揃えることができる。【００５２】
この場合、一方のニードルベッドのキャリッジの先行側の度山カムも引下げカムとして作用する。
こうした度山カムも引下げカムとして作用させる場合、上記操作カムとも併用させることが望ましい。
なお、実施例１では度山カムでキャリッジが反転する直前に一方のニードルベッドで編成された編地の最後に形成されたループを掛止している編針を引き下げるようにし、上記実施例２では望ましい形態として、先行側の度山カムと引下げカムとを併用して編針を引き下げるようにしてあるが、引下げカムの作用だけでも前記編針を引き下げてキャリッジが反転する直前に一方のニードルベッドで編成された編地の最後に形成されたループの目が詰まるのを抑制することができる。【００５３】
また、引下げカムで引きさげられるキャリッジ５が反転する直前に編成された編地のループの編針は１本に限られず数本を引き込むようにすることもできる。
更に、上記操作カムは固定されたものに限られず、高さを変更できるようにすることもできる。こうした場合には横編機のゲージや編糸の種類等に合わせたきめ細かな設定を行なうことができる。
【図面の簡単な説明】
【００５４】
【図１】は本発明の実施例１にかかる筒状編地の編成方法を実施する横編機のニードルベッド部分の縦断側面図である。
【図２】は本発明の実施例１にかかる筒状編地の編成方法を実施する横編機のキャリッジのカム群の概略を示す透視図である。
【図３】は本発明の実施例1にかかる横編機のキャリッジが往行するときに編針が通過する軌道を示す透視図である。
【図４】は本発明の実施例1にかかる横編機のキャリッジが複行するときに編針が通過する軌道を示す透視図である。
【図５】は周回編成を説明する概略図である。
【図６】は本発明の実施例２にかかるに筒状編地の編成方法および横編機を実施するキャリッジのカム群の概略を示す透視図である。
【図７】は本発明の実施例２にかかる図６におけるＸ−Ｘ線断面図並びにＹ−Ｙ線断面図である。
【図８】は本発明の実施例２にかかるキャリッジが往行するときに編針が通過する軌道を示す透視図である。
【図９】は本発明の実施例２にかかるキャリッジが複行するときに編針が通過する軌道を示す透視図である。
【符号の説明】
【００５５】
３・・・ニードルベッド
４・・・編針
５・・・キャリッジ
６・・・カム群
２２・・・ニードルレイジングカム
２５ａ・・・先行度山カム(引下げカム)
３７・・・操作カム（引下げカム）
【図１】
0004944015.tif 000002
【図２】
0004944015.tif 000003
【図３】
0004944015.tif 000004
【図４】
0004944015.tif 000005
【図５】
0004944015.tif 000006
【図６】
0004944015.tif 000007
【図７】
0004944015.tif 000008
【図８】
0004944015.tif 000009
【図９】
0004944015.tif 000010